Podtech/llm-jp-corpus-v4-ja_patent huggingface dataset:
(57)【要約】      （修正有）【課題】地震が来た時、揺れをセンサーで感知し、ブザー照明、揺れ目安ランプで知らせる。照明だけを必要とする時、センサー目安ランプスイッチを切り単独スイッチか本体を持ち上げすると照明だけになる。電球カバーをネジ式で何種類かに変える事が出来る。本体を持ち上げるとボックス底にあるスイッチが入り照明する、持ち歩きも出来る。蛍光塗料で暗くても光って見える。【解決手段】ボックス９の中に、乾電池１・振動センサー２を設置し、揺れが来たとき振動センサー２が作動し、ブザー３・照明７、揺れの目安ランプ４を同時に作動させ知らせる。照明７だけを必要とする時は単独スイッチ５で切入するか、本体９を持ち上げるとボックス９の底にあるスイッチ８が入り照明する。電球カバー１３はネジ式で固定するので何種類かに変えられる。【選択図】図１
2009105021.tif 000002
【特許請求の範囲】
【請求項１】
照明、揺れキャッチセンサー、揺れ目安ランプ、音響装置を設けた、地震報知機です。
（イ）ボックス（９）の中に、電池ボックス（１）、振動キャッチセンサー（２）音響装置（３）を設ける。
（ロ）ボックス（９）外上部に、照明単独切入スイッチ（５）音響装置（２）目安ランプ（４）揺れキャッチセンサー（２）を同時に切入するスイッチ（６）を設ける。
（ハ）ボックス（９）上部中心に円筒を立ち上げる。
（ニ）円筒（１１）上部に電球（７）とカバー（１３）を設ける。
（ホ）電球カバー（１３）の取付けはネジ式（１２）で固定。
（ヘ）ボックス（９）底に上下自動スイッチ（８）を設ける。
【発明の詳細な説明】
【技術分野】
【０００１】この発明は、振動センサー・音響装置、照明装置を設けた地震に関するものです。
発明の開示
【発明が解決しようとする課題】
【０００２】地震が来ても、揺れがすぐおさまるだろうと思いがち。音響・明かりで知らせれば、すぐ避難を考えると思います。同時に暗い所での行動を少しでも手助け出来ると考えたものです。
【課題を解決する手段】
【０００３】ボックス（９）に、乾電池（１）振動キャッチセンサー（２）音響装置（３）、外部上左右に切入スイッチ（５）（６）を正面に揺れ目安ランプ、ボックス（９）上中心部に円筒を立ち上げ、上部に電球（７）電球カバー（１３）、ボックス底に上下自動スイッチ（８）を設ける。
本発明は、以上の構成よりなる地震報知機です。
2009105021.tif 000003
【手続補正書】
【提出日】平成20年4月21日(2008.4.21)
【手続補正１】
【補正対象書類名】明細書
【補正対象項目名】全文
【補正方法】変更
【補正の内容】
【発明の詳細な説明】
【技術分野】
【０００１】この発明は、ボックス内部に、振動キャッチセンサー、音響装置、電池。ボックス上部中心に円筒を立ち上げ。円筒上部に照明装置。ボックス前面に警報ランプ。ボックス上部左右に切入スイッチ。ボックス底に上下自動切入スイッチを設けた、警報装置つき懐中電灯に関するものです。
【発明の開示】
【発明が解決しようとする課題】
【０００２】地震の時、揺れを寝ていてわからず、危険な事があった。
その他、停電、緊急時に暗い所で懐中電灯を必要とした時、どこに置いたか忘れて困る事があった。
危険を知らせ、暗い所で安全に行動出来るよう使用する、警報照明付懐中電灯を提供するものです。
【課題を解決するための手段】
【０００３】ボックス▲１２▼の中に電池▲１▼  音響装置▲３▼  振動キャッチセンサー▲２▼を設ける。
ボックス▲１２▼上部中心に円筒▲８▼を立ち上げる。
円筒の上部に電球▲６▼を設ける。
ボックス▲１２▼上部左右に切入スイッチ▲９▼と▲５▼を設ける。
ボックス▲１２▼前面に警報ランプ▲４▼を取りつける。
ボックス▲１２▼下部底に上下自動切入スイッチ▲１０▼を取付。
円筒の下部に蛍光塗料▲１１▼を塗る。
・本発明は以上の構成よりなる
揺れも知らせる、懐中電灯です。
【発明の効果】
【０００４】揺れがあると、自動的に警報、照明、警報ランプが作動し、本体が横倒しになっても照明し、危険を知らせるので、暗くても行動が出来る。
暗い所でも蛍光塗料も光り、本体を見つけ易く。持ち歩きも出来るので便利である。
【発明を実施するための最良の形態】
【０００５】ボックス▲１２▼の中に乾電池▲１▼  振動キャッチセンサー▲２▼  音響装置▲３▼を格納。
ボックス▲１２▼上部左に照明だけの単独切入スイッチ▲９▼
右側に振動キャッチセンサー▲２▼  音響装置▲３▼  照明▲６▼
警報ランプ▲４▼の一体配線切入スイッチ▲５▼
ボックス▲１２▼前面に警報ランプ▲４▼
ボックス▲１２▼上部中心部に円筒▲８▼を立ち上げ
上部に電球▲６▼  保護カバー▲７▼をボックス▲１２▼下部底に照明単独上下自動切入スイッチ▲１０▼を円筒▲８▼下部分に蛍光塗料▲１１▼
・本発明は、以上のような構造です。
・揺れを自動で音、照明、警報ランプで知らせる、必要としない時、一体配線切入スイッチで切る。
・照明だけを必要とする時、単独切入スイッチで出来る
・手で本体を持ち上げると照明する。
・蛍光塗料を使用しているので、暗い場所でも本体をすぐ見つけられる。
○上記の事から自動で知らせ、照明だけを単独で出来、持ち歩く事も出来る。
【図面の簡単な説明】
【０００６】
【図１】正面図
【図２】正面図
【図３】背面図
【図４】底面図
【符号の説明】
【０００７】▲１▼電池（電池ボックス）      ▲７▼電球保護カバー
▲２▼振動キャッチセンサー      ▲８▼円筒
▲３▼音響装置                  ▲９▼照明だけの単独切入スイッチ
▲４▼警告ランプ                ▲１０▼照明だけの単独上下自動切入スイッチ
▲５▼音響、照明、警報ランプの  ▲１１▼蛍光塗料
一体配線切入スイッチ
▲６▼電球（照明）              ▲１２▼ボックス
（電池、音響、振動キャッチセンサー格納）
【手続補正２】
【補正対象書類名】図面
【補正対象項目名】全図
【補正方法】変更
【補正の内容】
【図１】
2009105021.tif 000004
【図２】
2009105021.tif 000005
【図３】
2009105021.tif 000006
【図４】
2009105021.tif 000007
(57)【要約】【課題】従来のＬＥＤモジュールにおいては防水性を付与する為、その表面にシリコーン樹脂をコーティングすることが行われているが、シリコーン樹脂をコーティングした場合、放熱性が損なわれてしまい、熱による機能劣化や故障、さらには発火事故に至る場合もあった。【構成】ＬＥＤモジュールの表面全体にパレリン樹脂膜を形成せしめた。【選択図】  図１
2009105234.tif 000002
【特許請求の範囲】
【請求項１】
表面全体にパレリン樹脂膜を形成せしめたことを特徴とするＬＥＤモジュール。
【発明の詳細な説明】
【技術分野】
【０００１】
この発明はＬＥＤモジュール、詳しくは防水性及び放熱性にすぐれたＬＥＤモジュールに関するものである。
【背景技術】
【０００２】
発光ダイオード即ち、ＬＥＤは、白熱電球の様にフィラメントを用いないので、小型で振動に強く、長寿命で故障が少なく、しかも構造が簡単な為、大量生産が可能で安価である、というすぐれた特徴により、白熱電球や蛍光灯に代る新たな発光体として大いに期待されている。
【特許文献１】なし
【非特許文献１】なし
【発明の開示】
【発明が解決しようとする課題】
【０００３】
ＬＥＤは極めてエネルギー効率の良い発光体ではあるが、発光の際に発熱することは避けられず、何らかの放熱対策を必要とすることは、白熱電球など他の発光体と何ら変わるところではない。特に、照明用など消費電力が大きい高出力ＬＥＤの場合、適切に放熱されない場合、寿命や性能を著しく損なうだけではなく、発火や発煙などの危険な事故に繋がるおそれがある。
【０００４】
一方、ＬＥＤ素子は、発光部が封入された透明樹脂部分とそこから延びた端子とからなるものであり、それ自体水密性を有しており、特段の防水処理は必要としないが、このＬＥＤ素子の一個あるいは複数個を所望の基板や筺体に実装した所謂ＬＥＤモジュールにおいては、モジュールへの水の浸入を防ぐ為、適切な防水処理を行うことが必要である。
【０００５】
このＬＥＤモジュールの防水処理は、従来においては、ＬＥＤモジュールの表面全体をシリコーン樹脂で被覆せしめることにより行うのが普通であった。しかしながら、ＬＥＤモジュールの表面全体をシリコーン樹脂で被覆した場合、確かに防水性は付与されるが、モジュール内のＬＥＤ素子やリード線、他の回線素子などから発っせられる熱がＬＥＤモジュール内に篭もってしまい、放熱が十分に行われないという問題があった。
【０００６】
つまり、従来においては、防水性と放熱性を両立させることはむずかしく、防水性を高め様とすると放熱性が損なわれるというジレンマに陥っていたことになる。
【０００７】
本発明者は、ＬＥＤモジュールにおける上記問題点を解決すべく研究を行った結果、従来その両立がむずかしかった防水性と放熱性を共に満足させることが出来る新しいＬＥＤモジュールを完成させることに成功し、本発明としてここに提案するものである。
【課題を解決するための手段】
【０００８】
ＬＥＤモジュールの表面全体にパレリン樹脂膜を形成せしめることにより、上記課題を解決した。
【発明の効果】
【０００９】
表面にパレリン樹脂膜が形成されているので、完璧な防水性を維持しながら、放熱性にもすぐれ、熱による機能劣化や故障のおそれがなく、照明用など大電力のＬＥＤ素子を実装したＬＥＤモジュールなどにおいて特に大きな効果を有する。又、単に、表面にパレリン樹脂膜を形成するだけなので、作業もそれほど複雑ではなく、費用対効果の面からも極めてすぐれている。
【発明を実施するための最良の形態】
【００１０】
ＬＥＤモジュールの表面全体にパレリン樹脂膜を形成せしめた点に特徴が存する。
【実施例１】
【００１１】
図１はこの発明に係るＬＥＤモジュールの実施例１の斜視図である。図中１はこのＬＥＤモジュールの基板であり、この基板１上の所定位置にはＬＥＤ素子２やチップ抵抗３などの必要な素子が実装され、基板１に形成されている導体によって回路が形成されている。そして、このＬＥＤモジュールには、コネクター４を介して電線５が接続されており、電流を供給してＬＥＤ素子２を発光させることが出来る様になっている。なお、上記構成は従来のＬＥＤモジュールと全く同じである。
【００１２】
そして、この実施例１においては、このＬＥＤモジュールの表面全体にパレリン樹脂がコーティングされており、パレリン樹脂膜６が形成されている。なお、パレリン（ｐａｒｙｌｅｎｅ）とは、パラキシリレン系樹脂の総称であり、その重合した高分子膜がパレリン樹脂膜である。このパレリン樹脂膜６は、ＬＥＤ素子２の実装部分だけではなく、コネクター４も含めてＬＥＤモジュール全体に形成されており、言わば、このＬＥＤモジュールはこのパレリン樹脂膜６によって全体が覆われていることになる。パレリン樹脂膜６の形成は、パレリン樹脂を気化させてモノマー化し、これを蒸着室内でＬＥＤモジュール表面に接着重合させることにより行う。
【００１３】
このＬＥＤモジュールは、従来のＬＥＤモジュールと同様に電流を供給してＬＥＤ素子２を発光させるものであるが、表面にはパレリン樹脂膜６が形成されているので、モジュール内部への水の浸入は阻止され、完璧な防水性が維持される。一方、ＬＥＤ素子２の発光に伴い発生する熱は、パレリン樹脂膜６を介して外部にスムーズに放出され、ＬＥＤモジュール内部へ熱が篭もることはなく、ＬＥＤモジュールは適正な温度に保たれる。なお、このＬＥＤモジュールが、従来のシリコーン樹脂膜を形成した場合に比べ、放熱性にすぐれているのは、パレリン樹脂膜の微細構造が寄与しているからと考えられる。
【００１４】
この発明に係るＬＥＤモジュールは上記の通り、その表面にパレリン樹脂膜６が形成されているので、完璧な防水性を維持しながら、放熱性にもすぐれ、熱による機能劣化や故障のおそれがなく、照明用など大電力のＬＥＤ素子を実装したＬＥＤモジュールなどにおいて特に大きな効果を有する。又、単に表面にパレリン樹脂膜を形成するだけなので、作業もそれほど複雑ではなく、費用対効果の面からも極めてすぐれている。
【産業上の利用可能性】
【００１５】
照明用、表示用、装飾用など用途を問わず、すべてのＬＥＤモジュールに利用可能である。
【図面の簡単な説明】
【００１６】
【図１】この発明に係るＬＥＤモジュールの実施例１の斜視図。
【符号の説明】
【００１７】
１    基板
２    ＬＥＤ素子
３    チップ抵抗
４    コネクター
５    電線
６    パレリン樹脂膜
【図１】
2009105234.tif 000003
(57)【要約】 【課題】  材料費が低コストのリードフレームを提供する。【解決手段】  リードフレーム１の枠２の部分に金属材料を使用する代わりに安価な紙又はプラスチックを使用することで、ほぼ製品に使用される部位のみに金属材料を使用することが出来、使用する金属材料のコストを削減することが可能となる。【選択図】  図１
2009105169.tif 000002
【特許請求の範囲】
【請求項１】
梯子状の枠が設けられた長尺で薄板状の非金属板からなるリードフレームであって、前記枠内に対向する一対の導電性の端子を非金属製のテープにより配置して用いることを特徴とするリードフレーム。
【請求項２】
梯子状の枠が設けられた長尺で薄板状の非金属板からなるリードフレームであって、前記枠内に対向する一対の導電性の端子が非金属製のテープにより配置されていることを特徴とするリードフレーム。
【請求項３】
前記非金属板および前記非金属製のテープの少なくとも一方の片面が、粘着剤を備えていることを特徴とする請求項１または２に記載のリードフレーム。
【発明の詳細な説明】
【技術分野】
【０００１】
本発明は、電子部品等の製造において、使用されるリードフレームに関する。
【背景技術】
【０００２】
電子部品の製造において、位置決め等が簡単に出来、大量生産に適しているリードフレームを使用して製造される製品は多い。リードフレームの材料としては、Ｃｕ及びＣｕ系合金、Ｆｅ系合金等が使用されている。一般にリードフレームは、連続した金属材料に抜き加工を行い形成されている。
【０００３】
図２は従来のリードフレームの側面断面図である。リードフレーム１はリードフレーム全体に金属材料を使用する。しかし、製品に使用される部位は、基板との接続に使用される実装端子部のみで、リードフレームの外枠部分は、実際には製品に使用されず、廃棄される部分となる。
【０００４】
【特許文献１】特開平６−２１５９４３号公報
【発明の開示】
【発明が解決しようとする課題】
【０００５】
電子部品の連続製造に多く使用されているリードフレームであるが、枠部は連続で製造する際端子部位を均等に位置づけするために使用されるだけであり、実際に製品に使用される部位は基板との接続に使用される実装端子部のみである。この為、実際に使用される実装端子部よりも、製品製造時に利用される部分で金属材料の使用量が多くなり高価なリードフレームとなる。更にリードフレームの原材料価格の変動に大きく価格が影響される問題が生じている。
【０００６】
従って、本発明の課題は、材料費を低減した低コストのリードフレームを提供することにある。
【課題を解決するための手段】
【０００７】
本発明は上記の課題を解決するためになされたものであり、電子部品の製造に使用するリードフレームにおいて、リードフレームの外枠等の部分に非金属材料を用い、テーピングにより端子を配置することを特徴とするリードフレームである。
すなわち、梯子状の枠が設けられた長尺で薄板状の非金属板からなるリードフレームであって、前記枠内に対向する一対の導電性の端子を非金属製のテープにより配置して用いることを特徴とするリードフレームである。
また、梯子状の枠が設けられた長尺で薄板状の非金属板からなるリードフレームであって、前記枠内に対向する一対の導電性の端子が非金属製のテープにより配置されていることを特徴とするリードフレームである。
また、前記非金属板および前記非金属製のテープの少なくとも一方の片面が、粘着剤を備えていることを特徴とする請求項１に記載のリードフレームである。
テーピングする材料にはリードフレームの強度確保や位置決めを行うのに厚紙又はプラスチック等の非金属材料を使用し、もう一方には粘着材のついた紙又はフィルム等の非金属材料を使用する。
【発明の効果】
【０００８】
本発明によれば、電子部品の製造に使用するリードフレームにおいて、リードフレームの外枠等の金属材料を使用する部分に、安価な紙又はプラスチック等の非金属材料と粘着材のついた紙又はプラスチックフィルム等の非金属材料を用いてテーピングしたリードフレームを使用することで、リードフレームの材料コストを低減することが出来る。
【発明を実施するための最良の形態】
【０００９】
以下、図面を用いて詳述する。  
【００１０】
図１は本発明のリードフレームの側面断面図である。金属材料からなる一対の端子１ａを非金属材料からなる梯子状の枠２の長手方向の両端に粘着剤付きのシートからなるテープ３により貼り付けている。
【００１１】
梯子状の枠２の材料にはリードフレームの強度確保や位置決めを行うため、厚紙やプラスチック等の非金属材料を使用し、テープ３として粘着剤を配した紙又はプラスチックフィルム等の非金属材料を使用する。金属材料からなる一対の端子１ａのかわりに、同様の端子を有する電子部品を配して用いることもよい。
【００１２】
リードフレームの枠等の少なくとも一部分に金属材料を使用する代わりに安価な紙又はプラスチックを使用することで、ほぼ製品に使用される部位のみに金属材料を使用することが出来、金属材料の使用量を非常に少なくすることが可能となる。これにより、リードフレームに使用する金属材料のコストを削減することが出来る。
【図面の簡単な説明】
【００１３】
【図１】本発明のリードフレームの側面断面図。
【図２】従来のリードフレームの側面断面図。
【符号の説明】
【００１４】
１    リードフレーム
１ａ  金属材料からなる一対の端子
２    枠
３    テープ
【図１】
2009105169.tif 000003
【図２】
2009105169.tif 000004
(57)【要約】【課題】従来イカの切込（塩辛）は御飯のオカズや酒の肴等で殆ど生食で、時には食中毒になったりした、又、生ものの為に食べれない人もいた、他に栄養の面で若干劣る点が有った、そして長期間の保存が問題であった、又、プラや硝子瓶や缶等の大量の廃棄物が出る様になった、更に此れらの容器が嵩ばったり重かったりして持ち運でも大変であった事等を提供する【解決手段】食の安全を確保する為に殺菌を兼ねて煮る等の処理をしたものである、従って長期間の保存も可能になった、容器も改善し出来るだけ塵芥が出ない様にした、又、栄養の点では鳥類の卵とカロチンの抱負なパセリを加えた、他に緑り色の見た目の美しさも供えたものである、更に好みに応じて、海苔、胡麻、唐辛子等を加える様になされた、ヘルシーなフリカケである勿論、和〜洋酒の肴にも最良である、又、災害時やレジャー等の持ち運びや使用も簡便になされたものである【特許請求の範囲】
【請求項１】
イカ切込（塩辛）に鳥類の卵とパセリ等を組み合せて熱処理等をし粉粒状になされたフリカケ食品
【発明の詳細な説明】
【発明の詳細な説明】
【技術分野】
【０００１】本発明はイカの切込を適量の水等で煮る際に、同時に鳥類の卵（白・黄身）を掻き混ぜて入れ、更にパセリの微塵切も一緒に入れて、ある程度水気が無くなる迄煮る、更に熱風乾燥機で完全に水分が無くなる迄乾燥し粉粒状にしたフリカケ
【背景技術】
【０００２】従来、イカ、鮭、鰊等の切込は殆んど生食で御飯のオカズや酒の肴であった、今は冷蔵庫等も有るが、其れでも長期間の保存は限ぎられている、又持ち運びに生物の為不便だった
【発明の開示】
【発明が解決しようとする課題】
【０００３】生食の為時たま食中毒が有った、又、長期間の保存は出来なかった、他にプラ、硝子瓶や缶等の容器で大量の塵芥が出た
【課題を解決するための手段】
【０００４】食中毒等を防止する為、イカ切込等を煮て熱処理をして乾燥食品に仕上なされたもので長期間の保存が出来る真空袋等の容器を使用するので廃棄物が大量に出ない
【発明を実施する為の最良の形態】
【０００５】本発明は従来にない観点から完成なされたものである
先ず、お茶漬け、お握の中に入れる、混ぜ御飯にする、お湯に入れて吸いものにする、パン食にはバター、マーガリン等パンの間に挟んで食べれるので、大人や小供にもインスタントに活用出来て従来には全たく無かったフリカケ食品である
【発明の効果】
【０００６】平常食の安全、長期間の保存、持ち運びが容易である
(57)【要約】【課題】捕獲した魚を、素早く且つ確実に動かないようにして、魚の鮮度を最大限に保つようにする。【解決手段】ハリスとしてのビニール等でその表面を覆ったワイヤー等電気伝導体を通して、釣針又はその付近に高圧微弱電流を流し、又、魚に直接電極を押し付け、その魚の体内に同じく高圧微弱電流を流すことにより、魚に衝撃を与え、魚をして動きを鈍らせ、気絶させ、又はショック死させる。【選択図】なし【特許請求の範囲】
【請求項１】
釣針に掛かった魚に、ハリスとしてのビニール等でその表面を覆ったワイヤー等電気伝導体を通して釣針又はその付近に電流を流すことにより、魚に衝撃を与え、魚をして動きを鈍らせ、気絶させ、又はショック死させる装置。
【請求項２】
請求項１において、バネ、ゴム、気体等、弾性ある物体を介することにより、釣針に接続された糸を強く引けば、電流を流すスイッチが入るようにした装置。
【請求項３】
請求項２において、同じく、バネ、ゴム、気体等、弾性ある物体を介することにより、釣針に接続された糸を引く力が弱くなるとスイッチが切れるようにした装置。
【請求項４】
魚に、電極を押し付け、その魚の体内に電流を流すことにより、魚に衝撃を与え、魚をして動きを鈍らせ、気絶させ、又はショック死させる装置。
【発明の詳細な説明】
【技術分野】
【０００１】
本発明は、魚を釣り、又は網などで獲ったときに、鮮度の良い状態を保つために、瞬間的に魚をして動きを鈍らせ、気絶させ、又はショック死させる装置に関するものである。
【背景技術】
【０００２】
従来、魚の鮮度を保つ方法として、包丁や千枚通しなどの刃物を用いて魚の延髄又は骨を切って魚を殺す、所謂〆るという方法が採られ、その高度な技術により、関アジ、関サバなどのブランド魚を生み出してもきた。
【０００３】
しかしながら、漁師等でさえ瞬時に且つ確実に〆ることはかなりの熟練を要し、失敗することも少なくないとされる。
【０００４】
この改善策として、針状の道具を用いて刺突し、魚を一時的に麻痺させる方法があるが、これはさらに高度な熟練を要する。
【特許文献１】特開2005 - 230021
【０００５】
さらに、これらの方法では、釣針に掛かった魚の場合、釣り上げて手にするまで、魚が暴れる動きを防止できない。
【０００６】
したがって、延縄漁によって捕獲されるマグロなどは、散々暴れ、くたびれて、時には死んだ状態で漁獲される。
【発明の開示】
【発明が解決しようとする課題】
【０００７】
我々人間でも、激しい運動をした後は、筋肉が硬くなって倦怠感を覚え、時には痛みさえ感ずることがあるが、これは、筋肉中に乳酸が大量に発生、蓄積するためである。
【０００８】
魚も同じで、この乳酸が、魚の鮮度を落とし、腐敗を早める。
【０００９】
したがって、地引網などで獲った魚はその体内に乳酸が大量に発生、蓄積しているため、死後硬直同然の状態にあるものさえ見受けられ、そのため、網獲り魚より一本釣りの魚が高価とされている。
【００１０】
さらに、延縄漁によって捕獲されるマグロなどは、その体内の魚肉が崩れ、商品としての価値が下がるなどの損害も発生している。
【００１１】
そこで、解決しようとする問題点は、捕獲した魚を如何にして素早く、瞬時に且つ確実に動かないようにするかという点にある。
【００１２】
即ち、魚が針に掛かった瞬間にその魚を気絶させる等、魚を出来るだけ暴れさせないようにして確保しようとするものである。
【課題を解決するための手段】
【００１３】
出来るだけ早く、魚に、特に脳又は延髄付近に微弱電流を流すことにより、魚に衝撃を与え、魚をして動きを鈍らせ、気絶させ、又はショック死させればよい。
【００１４】
電流を、ハリスとしてのビニール等でその表面を覆ったワイヤー等電気伝導体を通して釣針又はその付近に電流を流し、又、魚に直接電極を押し付け、その魚の体内に電流を流す。
【発明の効果】
【００１５】
この体内に流れた電流により、魚に衝撃を与え、魚をして動きを鈍らせ、気絶させ、又はショック死させることが出来、魚の暴れる動きを抑え、魚の鮮度を保つことが出来る。
【００１６】
さらに、魚が釣針に掛かって暴れるとスイッチが入り、電流が流れ、衝撃を与えて魚をおとなしくさせ、おとなしくなるとスイッチが切れて電流を流れなくして、電池を長持ちさせ、魚が再び正常な状態に戻って暴れだすと再度スイッチが入って電流が流れ、衝撃を与えて魚をおとなしくさせることを長時間にわたって自動的に繰り返すようにすることによって、延縄漁などのように長時間釣針に掛かったままの魚を放置するような場合、魚が暴れることをほとんど防止できるため、鮮度の良い魚を確保することが出来るとともに、魚の取り込み時においても、魚の抵抗を抑えられるため、スムーズな作業が可能となる。
【発明を実施するための最良の形態】
【００１７】
流す電流を発生させるには、電池を使用する方法が便利であるが、相手が大きな魚では、ある程度の高電圧を必要とし、電池からの電流をそのまま使用するには無理がある。
【００１８】
電池から得た電流を用いて高電圧を発生させるため、インターラプタ電気回路を使って電池からの電流を断続させ、この断続させた電流をインダクションコイル又は変圧器等を用いて高圧電流を得る方法が一般的に考えられるが、その外にトランジスター・ＩＣ等を用いた電気回路を用いてパルス電流を発生させ、このパルス電流をインダクションコイル又は変圧器等を用いて高圧電流を得る方法があり、後者のほうが損失が少なくてすむ。
【００１９】
こうして発生させた電流を、ハリスとしてのビニール等でその表面を覆ったワイヤー等電気伝導体を通して釣針又はその付近に電流を流し、又は、装置に直接付属させた電極を用いて魚に押し付け、魚の体内に電流を流すようにする。
【産業上の利用可能性】
【００２０】
この発明は、特別な技術を必要とすることなく、鮮度の良い獲物を確保することが出来るため、延縄漁等魚だけでなく、その他の海産動物等に対して応用可能である。
(57)【要約】      （修正有）【課題】電気自動車の走行時間を長くする。【解決手段】直流１２Ｖのバッテリ２０個を使用した直流源の電圧を、インバータにて交流電圧に変換して、２００Ｖ−２２０Ｖの交流三相モータを回転させる。モータは２極３．４−１９０Ｈｚで２００−２２０Ｖで回転数２９００−３５４０で車両を駆動する。モータの駆動によりバッテリーの残存容量が少なくなるので、直流の発電機をモータにて回転させ、直流の発電機出力でバッテリを充電する。発電機は２５Ａから２００Ａまでのオルタネータを使用する。【選択図】図３
2009159805.tif 000002
【特許請求の範囲】
【発明の詳細な説明】
（１）モーター自動車作りのバッテリー１２ボルト２０個使用し、インバータにて交流の三相２００Ｖに直し交流のモーターを回転する
（２）モーターは３，６ＫＷより車によりＫＷの大きいモーターに使用する
（３）モーター回転しバッテリーのＶ数が少なくなるので直流の発電気をモーターにて回し補充する  発電気はモーターのＶ数より少し小さいものを使用する
（４）直流発電気はオルタネータを使用する
（５）２ｔ車以上の車は２０個のバッテリーを使用する事が出来ますが普通の乗用車又は軽自動車はバッテリー２０個を１０個に縮小したバッテリーを使用する
縮小したバッテリーにインバータにて三相の２００Ｖになりモーターを回転し発電気を回しバッテリー充電をする事ができれば長く使用出来ます
（６）油は使用しない事です
2009159805.tif 000003
【手続補正書】
【提出日】平成20年5月14日(2008.5.14)
【手続補正１】
【補正対象書類名】明細書
【補正対象項目名】全文
【補正方法】変更
【補正の内容】
【発明の詳細な説明】
【技術分野】
【０００１】直流の電流をインバーターにて交流の電流に転換する事
【技術背景】
【０００２】油を使用しない所
【０００３】温暖化によく廃棄ガスもない事
【図面の簡単な説明】
【０００４】
【図１】平面図
【図２】車に上げた時の配置図
【図３】立面図
【手続補正２】
【補正対象書類名】特許請求の範囲
【補正対象項目名】全文
【補正方法】変更
【補正の内容】
【特許請求の範囲】
【請求項１】
バッテリ２０個からインバタにて交流の電力量２２０ｋＷを取り出すことでモーターを回して発電機を回して  電力量をバッテリに補充する。
【手続補正４】
【補正対象書類名】図面
【補正対象項目名】全図
【補正方法】変更
【補正の内容】
【図１】
2009159805.tif 000004
【図２】
2009159805.tif 000005
【図３】
2009159805.tif 000006
【手続補正書】
【提出日】平成21年2月26日(2009.2.26)
【手続補正１】
【補正対象書類名】特許請求の範囲
【補正対象項目名】全文
【補正方法】変更
【補正の内容】
【特許請求の範囲】
【請求項１】
バッテリー２０個からインバーターにて交流の電力を取り出すことでモーターを回し、前記モーターにより発電機を回して電力をバッテリーに充電するモーター自動車用のシステムであって、前記発電機の電圧が前記モーターの電圧より小さいもの。
【手続補正２】
【補正対象書類名】明細書
【補正対象項目名】全文
【補正方法】変更
【補正の内容】
【発明の詳細な説明】
【技術分野】
【０００１】本発明は電機モーター自動車用のシステムに関する。
【発明を実施するための最良の形態】
【０００２】  本発明は、バッテリー２０個からインバーターにて交流の電力を取り出すことでモーターを回し、発電機を回して電力をバッテリーに充電するモーター自動車用のシステムであって、発電機の電圧はモーターの電圧より小さいものとする。具体的には、以下のとおりである。
（１）モーター自動車作りの１２ボルトのバッテリー２０個を使用し、インバーターにて交流の三相２００Ｖに直し交流のモーターを回転させる。
（２）モーターは車によるが、３．６ｋＷよりｋＷの大きいモーターを使用する。
（３）モーターが回転しバッテリーの電圧が少なくなるので直流の発電機をモーターに回し補充する。発電機の電圧は、モーターの電圧より少し小さいものを使用する。
（４）発電機はオルタネーターを使用する。
（５）２ｔ車以上の車は２０個のバッテリーを使用することができるが、普通の乗用車又は軽自動車の場合はバッテリー２０個を１０個に縮小したバッテリーを使用するのがよい。縮小したバッテリーでもインバーターにて交流の三相の２００Ｖに直しモーターを回転し、発電機を回しバッテリー充電をすることができれば長く使用できる。
（６）油は使用しない。
【手続補正３】
【補正対象書類名】図面
【補正対象項目名】全図
【補正方法】削除
【補正の内容】
(57)【要約】【課題】塩、醤油、みりん、酒、酢、砂糖、油、だし関連調味料、フォン・ブイヨン類、つゆ・たれ類、ポン酢・合わせ酢、中華調味料、エスニック調味料、ソース類、スパイス・ハーブ類、果汁に、トロミをつけたおいしいく、健康にいい調味料の調整・製造することを目的とする。【解決手段】塩、醤油、みりん、酒、酢、砂糖、油、だし関連調味料、フォン・ブイヨン類、つゆ・たれ類、ポン酢・合わせ酢、中華調味料、エスニック調味料、ソース類、スパイス・ハーブ類、果汁にモズクペーストを添加することにより、機能性効果を得る。【選択図】図１
2009159936.tif 000002
【特許請求の範囲】
【請求項１】
生モズクをすり潰し、水分が一定度蒸発するまで煮沸しながら攪拌させて得られたことを特徴とする液体調味料。
【請求項２】
前記の請求項に記載の液体調味料を添加して得られることを特徴とする冷凍食品・惣菜・加工食品。
【発明の詳細な説明】
【技術分野】
【０００１】  一般に液体調味料に関し、もずくペーストを加えたことを特長とすることに関する。また、本液体調味料を用いてできた冷凍食品・惣菜・加工食品に関する。
【背景技術】
【０００２】  従来の液体調味料、例えば醤油、ソース、酢などの代表的な調味料は、液体であるため、これらを惣菜などの食品に使用する場合、適量以上にかけすぎたり、必要のないものにまでかけてしまうという不都合があった。また、帆立貝柱やイカ刺し身のような吸水性のない食品に当該液状調味料を使用した場合は、該食品を口中で持続しないことがある。また、液状調味料にキサンタンガム、ローカストビーンガムなどを添加してゼリー状として用いることが提案されている。（例えば特許文献１参照）また、寒天あるいはジェランガムを単独で添加したゲル状調味料がある。（例えば特許文献２参照）。さらに本出願人の先願（特許文献３）に係る生モズクを用いた醤油、及び調味料を、たれ・あんかけ・ソースとして幅広く活用する為の補足の特許である。
【特許文献１】特開平８−３０８５２７号
【特許文献２】特開２００１−３０９７６０号
【特許文献３】特開２００３−３３４０２０号
【発明の開示】
【発明が解決しようとする課題】
【０００３】  従来の液体調味料、例えば醤油、ソース、酢などの代表的な調味料は、液体であるため、これらを惣菜などの食品に使用する場合、適量以上にかけすぎたり、必要のないものにまでかけてしまうという不都合があった。また、帆立貝柱やイカ刺し身のような吸水性のない食品に当該液状調味料を使用した場合は、該食品を口中で持続しないことがある。
【課題を解決するための手段】
【０００４】  本発明は、モズクをすり潰し煮沸して一程度水分を蒸発させながら攪拌させて、塩、醤油、みりん、酒、酢、砂糖、油、だし関連調味料、フォン・ブイヨン類、つゆ・たれ類、ポン酢・合わせ酢、中華調味料、エスニック調味料、ソース類、スパイス・ハーブ類、果汁の中から選択された１種又は複数にモズクペーストを加えたことを特徴とする調味料である。
このモズクとは、海藻の一種であり褐藻類モズク科である。一般にモズクは、リン・カリウム・鉄・ナトリウム・カルシウム・などのミネラル及びビタミンＣ・人体内でビタミンＡに変わる↑カロチン・フコイダン・食物繊維が多く含まれる。このモズクをすり潰す。モズクが液体を吸収しジェル状になり易くする事と舌触りをなめらかにする事を目的とする。【０００５】  塩、醤油、みりん、酒、酢、砂糖、油、だし関連調味料、フォン・ブイヨン類、つゆ・たれ類、ポン酢・合わせ酢、中華調味料、エスニック調味料、ソース類、スパイス・ハーブ類、果汁に、モズクペーストを加えて得られた調味料を添加して得られることを特徴とする冷凍食品・惣菜・加工食品。そのときの含有濃度は、１％〜１００％が好ましい、さらには、３０％〜１００％が好ましく、もっとさらには、５０％〜１００％が好ましい。
【発明の効果】
【０００６】  本発明は、塩、醤油、みりん、酒、酢、砂糖、油、だし関連調味料、フォン・ブイヨン類、つゆ・たれ類、ポン酢・合わせ酢、中華調味料、エスニック調味料、ソース類、スパイス・ハーブ類、果汁に、モズクペーストを用いて出来た調味料である為、従来の、調味料に比べて、液状の不具合及び味調整に使用できることから、今までにない新規調味料である。また、本県沖縄においては、モズクは豊富な資源である事から、大量に安価で安定した製造が可能である。
【発明を実施するための最良の形態】
【０００７】  塩、醤油、みりん、酒、酢、砂糖、油、だし関連調味料、フォン・ブイヨン類、つゆ・たれ類、ポン酢・合わせ酢、中華調味料、エスニック調味料、ソース類、スパイス・ハーブ類、果汁に、モズクペーストを加える。
【実施例１】以下本発明の実施例を具体的に説明する。なお、本発明の技術的範囲は、以下の実施例に限定されるものではなく、本明細書に記載した事項から明らかになる技術的思想の範囲全体に及ぶものである。【０００８】図１は、本発明によるモズクペーストでトロミをつけた調味料の製造工程を示す図である
１）  塩抜きしたモズク４ｋｇを粉砕する。
２）  約４０分煮沸をし、水分をとばす。（味噌程度の硬さまで）
３）  パインジュース８００ＣＣ、醤油１．６リットル、酢  １．６リットル、島唐辛子      ペースト４０粒分を加えて攪拌
４）  ごま油２４０ＣＣを加え攪拌
５）  完成
モズクでトロミをつけた調味料の完成
【実施例２】図２は、本発明によるモズクペーストでトロミをつけた調味料の製造工程を示す図である
１）  抜きしたモズク２００ｇを粉砕する。
２）  約１０分煮沸をし、水分をとばす。（１５０ｇになるまで）
３）  フライパンにサラダ油を熱し、豆板醤を入れ、炒めて香りと辛みを引出す。続いて      生姜・ニンニクを加え、サッと炒める。
４）  赤だしみそ（カクキュー八丁味噌）４０ｇ、醤油大さじ１、中華スープの素（ガラ      スープ粉末）１５ｇ、みりん大さじ３杯砂糖８ｇ
５）  もずくペースト１５０ｍｌに  ３）香味と  ４）調味料を加えて出来上がり
６）  完成
モズクでトロミをつけた調味料の完成
本発明によるモズクを用いた調味料を食した、片栗粉とちがいとろみが滑らか、かつ、海藻のうまみ成分がおいしかった。
本発明によるモズクを用いた調味料で麻婆豆腐を作った、従来の麻婆豆腐とちがい、時間が経ってもトロミが持続しおいしかった。
【図面の簡単な説明】
【０００９】
【図１】第一実施例によるモズクでトロミをつけた調味料の製造を示すフロー図である。
【図２】第二実施例によるモズクでトロミをつけた調味料の製造を示すフロー図である。
【図１】
2009159936.tif 000003
【図２】
2009159936.tif 000004
(57)【要約】【課題】本発明は、茄子の漬物等を製造するときに廃棄物として出る茄子の皮を利用して、ジャム類を製造しようとするものである。【解決手段】  第一段階として茄子の皮に、レモン水を浸漬させ、第二段階として加熱し、粉砕する。第三段階としてレモン水と砂糖を加え加熱し、第四段階としてペクチンを添加し、茄子紺の色を持つジャムを作ることを特徴とするジャム類の製造法【選択図】なし【特許請求の範囲】
【請求項１】
第一段階として茄子の皮に、レモン水を浸漬させ、第二段階として加熱し、粉砕する。第三段階としてレモン水と砂糖を加え加熱し、第四段階としてペクチンを添加し、茄子紺の色を持つジャムを作ることを特徴とするジャム類の製造法
【請求項２】
第一段階として酸度３３．０のレモン水を２０％〜０．０２％添加した液に１０分以上浸漬させることを特徴とする請求項１に記載のジャム類の製造方法。
【請求項３】
第一段階として茄子の皮に、レモン水を浸漬させ、第二段階として加熱後に、ナス皮を粉砕することを特徴とする請求項１に記載のジャム類の製造法。
【発明の詳細な説明】
【技術分野】
【０００１】  本発明は、茄子の漬物等を製造するときに廃棄物として出る茄子の皮を利用して、ジャム類を製造しようとするものである。
【背景技術】
【０００２】  従来、茄子の漬物を製造するときに出る皮は廃棄物として捨てられているのが現状であり、廃棄物を軽減する試みの中で、茄子の皮の利用方法が検討されてきている。【０００３】  茄子の皮には薬用効果のある成分が多く含まれていることが知られており、こうした薬用成分を利用した茄子の皮の利用方法が、早急に望まれているのが現状である。【０００４】  従来開示されている茄子の皮の利用方法として、特開２００５−３０４４６６号に記載されているが、ナスニンの抽出に関するものであり、ジャム類の応用には言及していない。【０００５】  特開平１１−３４６６７８号に、アントシアニンを含むフルーツ、野菜からジャム類を製造する方法が記載されているが、ナスビに関してはアントシアニンを含む野菜として記載されているだけであり、茄子の皮を実際に利用しジャム類を作るとの記載は見当たらない。
茄子の皮の色は不安定であり、茄子の皮の色を安定しながら、ジャム類を作る記載は見当たらない。【０００６】  特開２００５−１３０８４３には野菜ジャムの製造方法が記載されているが、茄子の皮からのジャム類の製造方法には、言及していない。【０００７】
【特許文献１】特開２００５−１３０８４３
【特許文献２】特開平１１−３４６６７８
【特許文献３】特開２００１−８６４２
【特許文献４】特開平６−９０６８８
【特許文献５】特開平１０−１５５４６５
【発明の開示】
【発明が解決しようとする課題】
【０００８】  本発明者らは、茄子の皮が大量に廃棄されていることに注目し、皮の利用方法について鋭意研究を重ねた結果、本発明を完成させた。【０００９】  従来、茄子の漬物等を製造するときに出る皮は廃棄物として捨てられているのが現状であり、廃棄物を軽減する試みの中で、茄子の皮の利用方法の検討が早急に求められている。又、茄子の皮の色素は不安定であり、茄子紺色の安定した加工方法が求められているのも現状である。
【課題を解決するための手段】
【００１０】  上記の課題を解決するために、第一段階として茄子の皮にレモン水を浸漬させ、第二段階として加熱し、粉砕する。第三段階としてレモン水と砂糖を加え加熱し、第四段階としてペクチンを添加することにより、茄子紺色の安定したジャム類を作ることに成功した。【００１１】  第一段階として酸度３３．０のレモン水を２０％〜０．０２％添加した液に３０分以上浸漬させ更に、第二段階として加熱後に、ナス皮を粉砕することにより、口当たりのよい、滑らかな食感のジャム類を作ることが出来た。
【発明の効果】
【００１２】  本発明によれば、茄子皮を有効に利用出来ると同時に、茄子の皮にある有効成分であるナスニンを摂ることが出来、身体に良いジャム類となる。【００１３】  また、茄子皮だけのジャム類にも関わらず滑らかな食感と茄子紺色の安定したジャム類とすることが出来る。
【発明を実施するための最良の形態】
【００１４】  本発明のジャム類の製造方法について説明する。【００１５】  まず茄子の皮にレモン水を浸漬させ、次に加熱する。冷却してからミキサーで粉砕し更に、レモン水と砂糖を加え再度加熱し、加熱状態のままペクチンを添加し、冷却する。
【実施例１】
【００１６】  以下、第一の実施例について詳しく説明する。
１ｃｍ角に裁断した茄子の皮３００ｇを、酸度３０．０のレモン果汁（７倍濃縮品）２０ｇを加えた水５００ｇ中に投入し、５０分漬けておく。【００１７】  次に攪拌しながら加熱し４０分間沸騰させ、その後ミキサーで粉砕し、更に酸度３０．０のレモン果汁（７倍濃縮品）３０ｇ、砂糖３３０ｇを加えて３０分間加熱する。【００１８】  ペクチン１０ｇと砂糖２０ｇを混合した物を、上記の液に添加し１０分間攪拌し、温度低下する前に、１５０ｇずつガラス瓶に充填密封して冷却し、ジャム類（ナスビジャム類１）を得た。【００１９】    比較例１
１ｃｍ角に裁断した茄子の皮３００ｇを水５００ｇの中に投入し、直ちに粉砕し、その後酸度３０．０のレモン果汁（７倍濃縮品）２０ｇを加え、３０分漬けておく。【００２０】  次に攪拌しながら加熱し４０分間沸騰させ、更に酸度３０．０のレモン果汁（７倍濃縮品）３０ｇ、砂糖３３０ｇを加えて３０分間加熱する。【００２１】  ペクチン１０ｇと砂糖２０ｇを混合した物を、上記の液に添加し１０分間攪拌し、温度が低下する前に、１５０ｇずつガラス瓶に充填密封して冷却し、ジャム類（ナスビジャム類２）を得た。【００２２】    比較例２
１ｃｍ角に裁断した茄子の皮３００ｇを、酸度３０．０のレモン果汁（７倍濃縮品）２０ｇを加えた水５００ｇ中に投入し、５分漬けておく。【００２３】  次に攪拌しながら加熱し４０分間沸騰させ、その後ミキサーで粉砕し、更に酸度３０．０のレモン果汁（７倍濃縮品）３０ｇ、砂糖３３０ｇを加えて３０分間加熱する。【００２４】  ペクチン１０ｇと砂糖２０ｇを混合した物を、上記の液に添加し１０分間攪拌し、温度低下する前に、１５０ｇずつガラス瓶に充填密封して冷却し、ジャム類（ナスビジャム類２）を得た。【００２５】  パネラー１０名に、前述の実施例と比較例の色と食感について、官能検査を実施した。
実施例１の色を好ましいとした人                  １０人
比較例１の色を好ましいとした人                    ０人
比較例２の色を好ましいとした人                    ０人
実施例１の食感を好ましいとした人                  ９人
比較例１の食感を好ましいとした人                  １人
比較例２の食感を好ましいとした人                  ０人【００２６】  この結果からわかるように、実施例１で作られるジャム類は、好ましい色と食感を兼ね備えたジャム類であることが分かる。
【産業上の利用可能性】  本発明のジャム類は、ナスニンの含むアントシアン系色素を多く含む茄子の皮を主原料としており、廃棄されていた部分を使用したものであり、商品価値はきわめて高いものである。茄子紺の色素を残し、舌ざわりのよいジャム類食品として安価に製造することができる。
(57)【要約】      （修正有）【課題】きのこ栽培において、従来の常圧殺菌方法より燃料消費が少なく培地の乾きのない培地の殺菌装置及び殺菌システムを提供する。【解決手段】ボイラーから発生した蒸気が蒸気バルブＡ２を開けることで第１殺菌釜６に入り約１時間半から２時間で１００度に達する。その後蒸気バルブＡ２を閉め蒸気バルブＢ４を少し開け室外排気バルブ１１を閉める。第１殺菌釜６に入った蒸気は第１釜排気管７を通り安定装置８内に排出され安定装置８内温度を安定維持する、安定装置８から排気された蒸気は室外排気管１２を通り外に放出させ、この状態を約５時間維持する事で培地を殺菌する。【選択図】図１
2009159935.tif 000002
【特許請求の範囲】
【請求項１】
安全に温度を一定に保つ装置
【請求項２】
燃料を削減した殺菌システム
【請求項３】
複数釜の燃料を削減した殺菌システム
【発明の詳細な説明】
【発明の詳細な説明】
【技術分野】
【０００１】  この発明は、きのこ栽培で、培地の殺菌をする時に、燃料を節約する事が出来るシステムと装置である。
【背景技術】
【０００２】  従来の殺菌方法は、常圧殺菌と高圧殺菌を用いており、常圧殺菌では、ボイラーで発生させた蒸気を入れ約１時間半から２時間で１００度近辺に温度を上げこの温度を維持させる為に大量の蒸気を放出し８時間〜９時間を要している。
常圧殺菌では高圧殺菌の約３倍の油を消費するが、釜の安さや、高圧殺菌で起る培地の乾きを嫌い常圧殺菌を好む人が多い。【０００３】  高圧殺菌ではボイラーで発生させた蒸気を入れ、約２時間半で約１００度まで温度を上げ、約１時間半廃棄口から蒸気を排気し、廃棄口のバルブを閉めて１１５度〜１２５度まで上げ、約２時間放置した後廃棄口を開け蒸気をゆっくり放出する。（直火炊きでも水を沸騰させ蒸気を発生させ同じ事をする）
【発明が解決しょうとする課題】
【０００４】  従来の常圧殺菌方法では大量の燃料を消費し時間も掛かる、高圧殺菌より尚燃料消費が少なく培地の乾きのない殺菌方法、複数釜の燃料削減システム。
【０００５】  本発明は、昨今の原油高騰による生産者の負担を減らし、尚且つ二酸化炭素の排出を押え環境に優しいシステム。
【課題を解決するための手段】
【０００６】  上記目的を達成する為に、装置を取り付け釜内温度を少量の蒸気で温度を一定に維持し燃料の削減を図る。
【０００７】  複数釜では排気管の接続で温度を一定に維持し燃料の削減をする。
【発明を実施するための最良の形態】
【０００８】  発明の実施の形態を実施例に基づき図面１を参照して説明する。
ボイラーから発生した蒸気が（１）ボイラー蒸気管を通り（２）蒸気バルブＡを開け（３）の減圧弁を通り（５）釜への蒸気管から（６）第１殺菌釜に入り約１時間半から２時間で１００度に達したら（２）蒸気バルブＡを閉め（４）の蒸気バルブＢを少し開け（１１）室外排気バルブを閉める（６）第１殺菌釜に入った蒸気は（７）第１釜排気管を通り（８）安定装置内の（９）弁を押し排出され安定した温度を維持する、（８）安定装置から排気された蒸気は、（１２）室外排気管を通り外に放出させ、この状態を約５時間維持する事で本技術の発明を完成する事ができた。【０００９】  複数釜での形態を実施例に基づき図面２を参照して説明する。
ボイラーから発生した蒸気が（１）ボイラー蒸気管を通り（２）蒸気バルブＡを開け（３）の減圧弁を通り（５）釜への蒸気管から（６）第１殺菌釜と（１４）第２殺菌釜に入る（６）第１殺菌釜の排気蒸気は（７）第１釜排気管を通り（１４）第２殺菌釜に入り（１５）第２釜排気管を通り（１２）室外排気管から放出し、この状態で約１時間半から２時間で１００度に達したら（２）蒸気バルブＡを閉め（４）の蒸気バルブＢを少し開け（１３）第２蒸気バルブを閉め（１１）室外排気バルブ閉める（６）第１殺菌釜に入った蒸気は（７）第１釜排気管を通り（１４）第２殺菌釜に入り（１５）第２釜排気管を通り（８）安定装置に入る（９）弁が安定した温度を維持する、（８）安定装置から排気された蒸気は、（１２）室外排気管を通り外に放出させ、この状態を約５時間維持する事で本技術の発明を完成する事ができた。
【発明の効果】
【００１０】  本発明は説明したように構成されているので、下記に記載されるような効果を奏する
【００１１】  常圧殺菌に比べ、燃料が三分の一に削減され燃焼時間も２時間短縮された。
【００１２】  さらに高圧殺菌に比べ燃料が２０％削減され、二酸化炭素の排出を押え環境に優しいシステムになった。
【図面の簡単な説明】
【図１】本図は本発明による釜１台の配管システム模式図である。
【図２】本図は本発明による釜２台の配管システム模式図である。
【符号の説明】
１  ボイラー蒸気管
２  蒸気開閉バルブＡ
３  減圧弁
４  蒸気開閉バルブＢ
５  釜への蒸気管
６  第１殺菌釜
７  第１釜排気管
８  安定化装置
９  弁
１０  排水バルブ
１１  室外排気バルブ
１２  室外排気管
１３  第２釜蒸気バルブ
１４  第２殺菌釜
１５  第２釜排気管
【図１】
2009159935.tif 000003
【図２】
2009159935.tif 000004
(57)【要約】【課題】  受付ＰＯＳシステムにおいて要求されてしまうオペレーターの熟練度を解消するために、直感的視覚で入力できるようにしたシステム。【解決手段】画面上に「イラスト２」を表示することにより、オペレーター沢山ある「ボタン１」上の文字を読み探す必要から開放され、「イラスト２」から、視覚的直感によって入力できるようにする。【選択図】図２
2009134679.tif 000002
【特許請求の範囲】
【請求項１】
ＰＯＳシステムにおいて、入力項目にイラストを配置し、そのイラスト上に割り当てられた品物に画面タッチすることで品物が入力できるようにしたシステム。
【発明の詳細な説明】
【技術分野】
【０００１】  本発明は、ＰＯＳの操作を合理化すること。
【背景技術】
【０００２】  従来の入力方法は、品物に商品コードを割付て、その商品コードをキーボードから入力するか、もしくはパソコンの画面上にボタンを配置して、そのボタンをタッチすることによって入力作業をしていた。
【発明の開示】
【発明が解決しようとする課題】
【０００３】  この従来方法では、品物の商品コードを記憶するか、画面上のボタンに表記してある商品名を、目で読み取って入力しなくてはならない。扱う商品の数が多くなると、その分商品コードを記憶したり、数ある画面上のボタンから、もとめる品名を探すなど、オペレータの熟練度を求められたり、操作に時間がかかってしまう。
【課題を解決するための手段】
【０００４】  今回の発明では、画面に「図２」の「イラスト２」を配置することによって画像として品物を表示するので、直接該当商品なをタッチすれば入力が完了する。オペレーターは、いわゆる直感的視覚によって入力するので、画面上に表示されているボタンの文字を読み取る必要がなく、またコード番号を暗記する必要もない。
【発明の効果】
【０００５】  本発明は、オペレーターの熟練度に影響されずに、素早く入力作業が完了できる点にある。
入力作業が簡素化されることにより、オペレーターは従来ほどの熟練度が必要なくなり、オペレーターの研修に要する時間も削減され、その結果、人件費のコストも削減される。また、オペレーターが商品を探す手間を省くことにより、従来以上に接客に集中できることにもつながる。
以下、本発明の実現について説明する。
イ）  発明の実現方法は、［図３］のようにイラストを細かく分断し、その分断した図に、透明化されたボタンを配置、または座標値を品物に関連付けをする。ボタンは透明化されているので、イラスト上には違和感がない表現ができる。
ロ）  オペレーターは、画面上の「図２」の「イラスト２」をタッチすることによってボタンを押したことと同等になるので、結果として品物を入力したことになる。
ハ）  イラストを変更することにより、様々な業種や業態に対応することも可能である。
【実施例１】
【０００６】  クリーニング店を例に取り、クリーニング店利用者がワイシャツとネクタイとズボンを持参して、クリーニングの依頼をしてきたと仮定する。［図１］（従来のシステム）で受付作業をした場合、オペレーターは画面下部に表示されているボタン１の配置から「ワイシャツ」と「ネクタイ」と「ズボン」のボタンを探して押すことになるが、その他にも品物のボタンが配置されているので、ボタン上に表示されている品名を目で読み取った上で入力したい品物のボタンを探していくことになる。
これを［図２］のように洋服を着た人物の「イラスト２」を配置すれば、オペレーターは直接「ワイシャツ」と「ネクタイ」と「ズボン」を押すことで入力ができる。
【図面の簡単な説明】
【０００７】
【図１】：従来の入力画面である。
【図２】：本発明である、「イラスト２」を画面上に配したものである。
【図３】：イラスト上に割り当てられている透明化されたボタンを、判りやすく可視化したものである。
【符号の説明】
【０００８】  １：従来の入力で必要だったボタン
２：本発明で表示されるイラスト
【図１】
2009134679.tif 000003
【図２】
2009134679.tif 000004
【図３】
2009134679.tif 000005